(57)【特許請求の範囲】
【請求項１】
内面に蛍光体スクリーン面が形成された実質的に長方形状のフェースパネル、コーン部及び内部に電子銃を有するネック部を順次形成してなるガラスバルブと、前記ガラスバルブのコーン部及びネック部の外周面上に設けられた偏向コイルと、前記偏向コイルに偏向電流を印加するための偏向回路とを備えた陰極線管装置であって、
前記フェースパネル内の有効画面の形状が、中間ピン歪の歪み量を抑制する変曲点のない凹曲面であると共に、前記有効画面の長辺上の断面曲率半径をＲt 、前記有効画面の中心（原点）を通り前記有効画面の長手方向に沿った軸（長軸）上の断面曲率半径をＲh としたとき、Ｒt ／Ｒh が１〜１．９の範囲内に設定されており、
前記有効画面の中心（原点）から前記有効画面の対角端部までの距離をＤ、前記有効画面の長辺の半分の長さをＨ、前記有効画面の短辺の半分の長さをＶ、前記有効画面のアスペクト比Ｖ／Ｈをα、前記有効画面の対角軸上の断面曲率半径をＲd 、偏向角の半分の角をθD とし、δとσを下記（数１）、（数２）で定義したとき、Ｒt ／Ｒh が下記（数３）の関係を満たすことを特徴とする陰極線管装置。
【数１】
0003578642.tif 000030
【数２】
0003578642.tif 000031
【数３】
0003578642.tif 000032
【請求項２】
Ｒd ＝Ｒh の関係を満たす請求項１に記載の陰極線管装置。
【請求項３】
内面に蛍光体スクリーン面が形成された実質的に長方形状のフェースパネル、コーン部及び内部に電子銃を有するネック部を順次形成してなるガラスバルブと、前記ガラスバルブのコーン部及びネック部の外周面上に設けられた偏向コイルと、前記偏向コイルに偏向電流を印加するための偏向回路とを備えた陰極線管装置であって、
前記フェースパネル内の有効画面の形状が、中間ピン歪の歪み量を抑制する変曲点のない凹曲面であると共に、前記有効画面の短辺上の断面曲率半径をＲs 、前記有効画面の中心（原点）を通り前記有効画面の短手方向に沿った軸（短軸）上の断面曲率半径をＲv としたとき、Ｒs ／Ｒv が１〜３．４の範囲内に設定されており、
前記有効画面の中心（原点）から前記有効画面の対角端部までの距離をＤ、前記有効画面の長辺の半分の長さをＨ、前記有効画面の短辺の半分の長さをＶ、前記有効画面のアスペクト比Ｖ／Ｈをα、前記有効画面の対角軸上の断面曲率半径をＲd 、偏向角の半分の角をθD とし、εとτを下記（数４）、（数５）で定義したとき、Ｒs ／Ｒv が下記（数６）の関係を満たすことを特徴とする陰極線管装置。
【数４】
0003578642.tif 000033
【数５】
0003578642.tif 000034
【数６】
0003578642.tif 000035
【請求項４】
Ｒd ＝Ｒv の関係を満たす請求項３に記載の陰極線管装置。
【発明の詳細な説明】
【０００１】
【発明の属する技術分野】
本発明は、テレビ受像機やディスプレイモニタ等に用いられる陰極線管装置に関する。
【０００２】
【従来の技術】
一般の陰極線管装置においては、電子ビームが水平方向に走査するとき、有効画面の中央部と有効画面の短辺部とでは、偏向中心からの距離が異なるため、同じ偏向角でも電子ビームの走査距離が異なる。このことによる表示画像の歪みを補正するため、偏向電流波形である鋸歯状波の傾斜部分をＳ字状にするＳ字補正が行われている。
【０００３】
この場合、Ｓ字補正量を一定にして、有効画面の水平方向の左右端部である有効画面の短辺部で左右ピン歪が零となるような補正が行われている。しかし、近年、陰極線管装置の大型化、陰極線管装置の画面のフラット化に伴い、電子ビームの偏向中心から有効画面の中央部までの距離と前記偏向中心から有効画面の短辺部までの距離との差がさらに大きくなってきたため、図６（ａ）に示すように、有効画面Ａの中央を通り有効画面Ａの短辺Ｙａ  と平行なｙ軸と有効画面Ａの短辺Ｙａ  との中間部において左右に縦線の中間ピン歪１ａ、１ｂが生じたり、図６（ｂ）に示すように、有効画面Ａの中央を通り有効画面Ａの長辺Ｘａ  に平行なｘ軸と有効画面Ａの長辺Ｘａ  との中間部において上下に横線の中間ピン歪１ｅ、１ｆが生じ、特に、ＣＡＤなどの作業を行う場合に、有効画面Ａ上で直線が曲線状に歪んだり、真円が楕円状に歪むなどの現象が現れ、作業性が低下するという問題点が生じるに至った。
【０００４】
そこで、従来の陰極線管装置においては、例えば、特開平５−８３５８５号公報に開示されているように、偏向回路に変調用トランスなどの付加回路を設けて、垂直信号と同期したパラボラ波を水平信号に重畳することにより、有効画面Ａ上の上記縦線の中間ピン歪１ａ、１ｂの歪み量δ′を抑制するようにされている。
【０００５】
【発明が解決しようとする課題】
しかし、このような構成を有する従来の陰極線管装置では、偏向回路に新たに変調用トランスなどの付加回路を設ける必要があるため、前記付加回路を有しないものに比べ、偏向電力が約１０％アップしたり、装置の価格が前記付加回路分だけアップするといった問題点があった。
【０００６】
本発明は、従来技術における前記課題を解決するためになされたものであり、偏向電力及び装置の価格をアップさせることなく、有効画面上の中間ピン歪の歪み量を抑制することのできる陰極線管装置を提供することを目的とする。
【０００７】
【課題を解決するための手段】
前記目的を達成するため、本発明に係る陰極線管装置の第１の構成は、内面に蛍光体スクリーン面が形成された実質的に長方形状のフェースパネル、コーン部及び内部に電子銃を有するネック部を順次形成してなるガラスバルブと、前記ガラスバルブのコーン部及びネック部の外周面上に設けられた偏向コイルと、前記偏向コイルに偏向電流を印加するための偏向回路とを備えた陰極線管装置であって、
前記フェースパネル内の有効画面の形状が、中間ピン歪の歪み量を抑制する変曲点のない凹曲面であると共に、前記有効画面の長辺上の断面曲率半径をＲt 、前記有効画面の中心（原点）を通り前記有効画面の長手方向に沿った軸（長軸）上の断面曲率半径をＲh としたとき、Ｒt ／Ｒh が１〜１．９の範囲内に設定されており、
前記有効画面の中心（原点）から前記有効画面の対角端部までの距離をＤ、前記有効画面の長辺の半分の長さをＨ、前記有効画面の短辺の半分の長さをＶ、前記有効画面のアスペクト比Ｖ／Ｈをα、前記有効画面の対角軸上の断面曲率半径をＲd 、偏向角の半分の角をθD とし、δとσを下記（数７）、（数８）で定義したとき、Ｒt ／Ｒh が下記（数９）の関係を満たすことを特徴とする。
【数７】
0003578642.tif 000002
【数８】
0003578642.tif 000003
【数９】
0003578642.tif 000004
この陰極線管装置の第１の構成によれば、偏向回路に新たに変調用トランスなどの付加回路を設けることなく、中間ピン歪の歪み量を抑制することができるので、偏向電力を小さくすることができると共に、安価な陰極線管装置を実現することができる。この場合、フェースパネル内の有効画面の形状が、中間ピン歪の歪み量を抑制する変曲点のない凹曲面であり、かつ、前記有効画面の長辺上の断面曲率半径をＲt 、前記有効画面の中心（原点）を通り前記有効画面の長手方向に沿った軸（長軸）上の断面曲率半径をＲh としたとき、Ｒt ／Ｒh が１〜１．９の範囲内に設定されているので、ＣＡＤなどの作業を行う場合に、有効画面上で直線が曲線状に歪んだり、真円が楕円状に歪むなどの現象が現れることはない。従って、作業性が低下することのない陰極線管装置を実現することができる。
【００１２】
また、前記本発明の陰極線管装置の第１の構成においては、Ｒd ＝Ｒh の関係を満たすのが好ましい。
また、本発明に係る陰極線管装置の第２の構成は、内面に蛍光体スクリーン面が形成された実質的に長方形状のフェースパネル、コーン部及び内部に電子銃を有するネック部を順次形成してなるガラスバルブと、前記ガラスバルブのコーン部及びネック部の外周面上に設けられた偏向コイルと、前記偏向コイルに偏向電流を印加するための偏向回路とを備えた陰極線管装置であって、
前記フェースパネル内の有効画面の形状が、中間ピン歪の歪み量を抑制する変曲点のない凹曲面であると共に、前記有効画面の短辺上の断面曲率半径をＲs 、前記有効画面の中心（原点）を通り前記有効画面の短手方向に沿った軸（短軸）上の断面曲率半径をＲv としたとき、Ｒs ／Ｒv が１〜３．４の範囲内に設定されており、
前記有効画面の中心（原点）から前記有効画面の対角端部までの距離をＤ、前記有効画面の長辺の半分の長さをＨ、前記有効画面の短辺の半分の長さをＶ、前記有効画面のアスペクト比Ｖ／Ｈをα、前記有効画面の対角軸上の断面曲率半径をＲd 、偏向角の半分の角をθD とし、εとτを下記（数１０）、（数１１）で定義したとき、Ｒs ／Ｒv が下記（数１２）の関係を満たすことを特徴とする。
【数１０】
0003578642.tif 000005
【数１１】
0003578642.tif 000006
【数１２】
0003578642.tif 000007
この陰極線管装置の第２の構成によれば、偏向回路に新たに変調用トランスなどの付加回路を設けることなく、中間ピン歪の歪み量を抑制することができるので、偏向電力を小さくすることができると共に、安価な陰極線管装置を実現することができる。この場合、フェースパネル内の有効画面の形状が、中間ピン歪の歪み量を抑制する変曲点のない凹曲面であり、かつ、前記有効画面の短辺上の断面曲率半径をＲs 、前記有効画面の中心（原点）を通り前記有効画面の短手方向に沿った軸（短軸）上の断面曲率半径をＲv としたとき、Ｒs ／Ｒv が１〜３．４の範囲内に設定されているので、ＣＡＤなどの作業を行う場合に、有効画面上で直線が曲線状に歪んだり、真円が楕円状に歪むなどの現象が現れることはない。従って、作業性が低下することのない陰極線管装置を実現することができる。
【００１６】
また、前記本発明の陰極線管装置の第２の構成においては、Ｒｄ  ＝Ｒｖ  の関係を満たすのが好ましい。
【００１７】
【発明の実施の形態】
以下、実施の形態を用いて本発明をさらに具体的に説明する。
図１は本発明の実施の形態における陰極線管装置を示す断面図である。図１に示すように、本実施の形態の陰極線管装置２は、内面に蛍光体スクリーン面３が形成された実質的に長方形状のフェースパネル４、コーン部５及び内部に電子銃６を有するネック部７を順次形成してなるガラスバルブ８と、ガラスバルブ８のコーン部５及びネック部７の外周面上に設けられた偏向コイル９を有する偏向装置１０と、偏向コイル９に偏向電流を印加するための偏向回路１１とを備えている。フェースパネル４の内側の画像の表示を行う有効画面Ａの形状は、凹曲面４ａとされており、これにより中間ピン歪の歪み量を抑制することができるようにされている。すなわち、有効画面Ａは、図２に実線で示すように、変曲点のない曲面状に形成されている。例えば、フェースパネル４の内側の有効画面Ａの中心を原点Ｏとし、原点Ｏを通り有効画面Ａの長辺Ｘａ  と平行な線をｘ軸、原点Ｏを通り有効画面Ａの短辺Ｙａ  と平行な線をｙ軸、原点Ｏを通り管軸と平行な線をｚ軸とする直交座標系を用い、フェースパネル４の内面の任意の点（ｘ、ｙ、ｚ）における原点Ｏから管軸方向への落差ＺがＺ＝ａ１  ｘ２  ＋ａ２  ｘ４  ＋ａ３  ｙ２  ＋ａ４  ｘ２  ｙ２  ＋ａ５  ｘ４  ｙ２  ＋ａ６  ｙ４  ＋ａ７  ｘ２  ｙ４  の関係を満たす変曲点のない曲面状に形成されている。
【００１８】
ここで、図４（ａ）に示すように、有効画面Ａの中心（原点Ｏ）から有効画面Ａの対角端部までの距離をＤ、原点Ｏから偏向中心までの距離をｌ、偏向角の半分の角（偏向半角）をθＤ  、有効画面Ａの長辺Ｘａ  の半分の長さをＨ、有効画面Ａの短辺Ｙａの半分の長さをＶ、有効画面Ａのアスペクト比Ｖ／Ｈをαとする。また、図２に示すように、原点Ｏを通り有効画面Ａの長辺Ｘａ  と平行な線上の断面曲率半径（以下「水平軸上曲率半径」という。）をＲｈ  、有効画面Ａの長辺Ｘａ  上の断面曲率半径（以下「長辺上曲率半径」という。）をＲｔ  、原点Ｏを通り有効画面Ａの短辺Ｙａ  と平行な線上の断面曲率半径（以下「垂直軸上曲率半径」という。）をＲｖ  、有効画面Ａの短辺Ｙａ  上の断面曲率半径（以下「短辺上曲率半径」という。）をＲｓ  、有効画面Ａの対角軸上の断面曲率半径をＲｄ  とする。
【００１９】
この場合、図４（ａ）から明らかなように、下記（数１３）の関係が成り立つ。
【００２０】
【数１３】
0003578642.tif 000008
【００２１】
また、偏向半角θＤ  の水平方向成分θＨ  は、下記（数１４）で表される。
【００２２】
【数１４】
0003578642.tif 000009
【００２３】
また、ｘ＝βＨにおける入射角θβＨ  は、下記（数１５）で表される。
【００２４】
【数１５】
0003578642.tif 000010
【００２５】
上記（数１３）を上記（数１５）に代入すると、下記（数１６）が得られる。
【００２６】
【数１６】
0003578642.tif 000011
【００２７】
図４（ｂ）は有効画面Ａの長辺Ｘａ  の断面を示したものであり、（１）は断面曲率半径がＲｔ１の従来の曲面、（２）は断面曲率半径がＲｔ２の本実施の形態の曲面を示している。
【００２８】
図４（ｂ）に示す落差Ｚ１  、Ｚ２  は、下記（数１７）、（数１８）のように表すことができる。
【００２９】
【数１７】
0003578642.tif 000012
【００３０】
【数１８】
0003578642.tif 000013
【００３１】
これらを２次式で近似すると、それぞれの曲線（１）、（２）上の落差は、下記（数１９）、（数２０）のように表すことができる。
【００３２】
【数１９】
0003578642.tif 000014
【００３３】
【数２０】
0003578642.tif 000015
【００３４】
ここで、落差Ｚ１  と落差Ｚ２  との差を下記（数２１）のように表せば、ｘ＝βＨにおける曲線（１）上の落差と曲線（２）上の落差との差γは、下記（数２２）のように表すことができる。
【００３５】
【数２１】
0003578642.tif 000016
【００３６】
【数２２】
0003578642.tif 000017
【００３７】
Ｒｔ２＝ｋＲｔ１とおけば、上記（数１７）、（数１８）、（数２１）より、落差Ｚ１  と落差Ｚ２  との差ｂは下記（数２３）で近似することができる。
【００３８】
【数２３】
0003578642.tif 000018
【００３９】
ｘ＝βＨにおける縦線の中間ピン歪の補正量σβＨ  は、上記（数１６）、（
数２２）、（数２３）を用い、かつ、Ｒｔ１をＲｈ  と置き換えることにより、下記（数２４）のように表すことができる。
【００４０】
【数２４】
0003578642.tif 000019
【００４１】
よって、縦線の中間ピン歪の補正率σ′βＨ  は、上記（数２４）を有効画面
Ａの短辺Ｙａ  の長さ２Ｖで規格化して、下記（数２５）のように表すことができる。
【００４２】
【数２５】
0003578642.tif 000020
【００４３】
また、ｘ＝（３／４）Ｈ付近における本実施の形態の適用前の縦線の中間ピン歪の原歪み量δ′は、有効画面の形状が曲面である陰極線管装置の各品種の実績値より、下記（数２６）の実験式で表すことができる。
【００４４】
【数２６】
0003578642.tif 000021
【００４５】
ここで、Ａ＝７．７９２０×１０−３、Ｂ＝２．９４２８×１０−２である。
従って、縦線の中間ピン歪の補正後の歪み量ρは、下記（数２７）で表すことができる。
【００４６】
【数２７】
0003578642.tif 000022
【００４７】
縦線の中間ピン歪の補正後の歪み量ρの規格値をＬ％とすると、下記（数２８）でｋの値を規定することができるので、β＝３／４とし、また、δとσを下記（数２９）、（数３０）で定義し、下記（数２８）を、上記（数２４）、（数２６）、（数２７）を用いて変形すれば、ｋ＝Ｒｔ２／Ｒｔ１＝Ｒｔ  ／Ｒｈ  の範囲を規定する式として下記（数３１）が得られる。
【００４８】
【数２８】
0003578642.tif 000023
【００４９】
【数２９】
0003578642.tif 000024
【００５０】
【数３０】
0003578642.tif 000025
【００５１】
【数３１】
0003578642.tif 000026
【００５２】
縦線の中間ピン歪み率（縦線の中間ピン歪（１ａ、１ｂ）の補正後の歪み量ρ／有効画面Ａの短辺Ｙａ  長さの半分）の許容限界値Ｌ（この値は、実際のディスプレイの官能テストで決められる）が±０．２４％となるように、ｋ＝Ｒｔ２／Ｒｔ１＝Ｒｔ  ／Ｒｈ  が上記（数３１）を満たす範囲内に設定される。
【００５３】
以上においては、縦線の中間ピン歪みの改善について説明したが、次に、横線の中間ピン歪みの改善についての実施の形態について説明する。
横線の中間ピン歪みについても、縦線の中間ピン歪みの場合と同様であり、縦と横を逆に考えることで容易に説明することができる。つまり、ＶとＨ、Ｒｔ  とＲｓ  、Ｒｈ  とＲｖ  を入れ替え、αを１／α、δをε、σをτと置き換え、また、係数Ａと係数Ｂをｙ＝（３／４）Ｖ付近における本実施の形態の適用前の横線の中間ピン歪の原歪み量δについての係数Ａ′、係数Ｂ′に置き換えることにより、下記（数３２）、（数３３）、（数３４）が得られる。
【００５４】
【数３２】
0003578642.tif 000027
【００５５】
【数３３】
0003578642.tif 000028
【００５６】
【数３４】
0003578642.tif 000029
【００５７】
横線の中間ピン歪み率（横線の中間ピン歪（１ｅ、１ｆ）の補正後の歪み量ρ／有効画面Ａの長辺Ｘａ  長さの半分）の許容限界値Ｌ（この値は、実際のディスプレイの官能テストで決められる）が±０．１４％となるように、ｋ′＝Ｒｓ  ／Ｒｖ  が上記（数３４）を満たす範囲内に設定される。
【００５８】
尚、本実施の形態においては、フェースパネル４の内側の有効画面Ａの形状を、Ｚ＝ａ１  ｘ２  ＋ａ２  ｘ４  ＋ａ３  ｙ２  ＋ａ４  ｘ２  ｙ２  ＋ａ５  ｘ４  ｙ２  ＋ａ６  ｙ４  ＋ａ７  ｘ２  ｙ４  の関係式で表したが、必ずしもこの関係式を満たす形状に限定されるものではない。フェースパネル４の内側の有効画面Ａの形状は、中間ピン歪の歪み量を抑制する凹曲面であればよい。
【００５９】
次に、上記のような構成を有する陰極線管装置の作用効果について説明する。従来においては、Ｓ字補正量を一定にして、有効画面Ａの短辺Ｙａ  の左右ピン歪が零となるような補正を行っているが、例えば、図３（ｂ）の破線で示すように、フェースパネル内の有効画面Ａは、水平軸上曲率半径及び長辺上曲率半径がともにＲｔ１である曲面に形成されているため、図３（ａ）に示すように、縦線の中間ピン歪１ａ、１ｂが発生する。このとき、有効画面Ａの中央（ｙ軸）から短辺Ｙａ  までの縦線の中間ピン歪１ａ、１ｂの歪み量δ′は、図５の破線で示す分布となる。これに対し、本実施の形態においては、縦線の中間ピン歪１ａ、１ｂの歪み量δ′を抑制することができるように、フェースパネル４内の有効画面Ａは、水平軸上曲率半径がＲｔ１、長辺上曲率半径が図３（ｂ）の実線で示すＲｔ２（＞Ｒｔ１）である凹曲面に形成されている。このため、図３（ｂ）に示すように、長辺Ｘａ  上のｙ軸と短辺Ｙａ  との中間部においては、長辺上曲率半径が従来のＲｔ１からＲｔ２（＞Ｒｔ１）に変化したことによる曲面段差によって、電子ビーム１２の到達点が従来の到達点１３から到達点１４にずれ、図３（ａ）に示すように、従来の縦線の中間ピン歪１ａ、１ｂが縦線の中間ピン歪１ｃ、１ｄに補正される。このとき、図５に示す実線が縦線の中間ピン歪の補正量となり、有効画面Ａの中央（ｙ軸）から短辺Ｙａ  までの中間における縦線の中間ピン歪１ａ、１ｂの歪み量δ′は、図５の一点鎖線で示す分布に補正される。尚、長辺Ｘａ  上の両端部１５においては、上記曲面段差が生じないため、短辺Ｙａ  上の左右ピン歪は零となる。
【００６０】
以上のように、偏向回路に、従来必要であった変調用トランスなどの付加回路を設けることなく、縦線の中間ピン歪１ａ、１ｂの歪み量δ′を抑制することができるので、偏向電力を小さくすることができると共に、安価な陰極線管装置を実現することができる。
【００６１】
また、フェースパネル４の凹曲面４ａが、変曲点のない曲面状に形成されると共に、縦線の中間ピン歪み率（縦線の中間ピン歪の補正後の歪み量ρ／有効画面Ａの短辺Ｙａ  長さ）の許容限界値Ｌが±０．２４％となるように、ｋ＝Ｒｔ２／Ｒｔ１＝Ｒｔ  ／Ｒｈ  が上記（数３１）を満たす範囲内に設定されているので、ＣＡＤなどの作業を行う場合に、有効画面Ａ上で直線が曲線状に歪んだり、真円が楕円状に歪むなどの現象が現れることはない。その結果、作業性が低下することのない陰極線管装置を実現することができる。
【００６２】
横線の中間ピン歪の補正についても、縦線の中間ピン歪の補正と比較した場合、縦線と横線の違いだけであるので、水平軸を垂直軸に、長辺を短辺に読み変えることにより、同様に作用効果を説明することができる。
【００６３】
よって、偏向回路に、従来必要であった変調用トランスなどの付加回路を設けることなく、横線の中間ピン歪１ｅ、１ｆの歪み量δ′を抑制することができるので、偏向電力を小さくすることができると共に、安価な陰極線管装置を実現することができる。
【００６４】
また、フェースパネル４の凹曲面４ａが、変曲点のない曲面状に形成されると共に、横線の中間ピン歪み率（横線の中間ピン歪１ｅ、１ｆの補正後の歪み量ρ／有効画面Ａの短辺Ｙａ  長さの半分）の許容限界値Ｌが±０．１４％となるように、ｋ＝Ｒｓ  ／Ｒｖ  が上記（数３４）を満たす範囲内に設定されているので、ＣＡＤなどの作業を行う場合に、有効画面Ａ上で直線が曲線状に歪んだり、真円が楕円状に歪むなどの現象が現れることはない。その結果、作業性が低下することのない陰極線管装置を実現することができる。
【００６５】
次に、具体的実施例を挙げて本発明をさらに詳細に説明する。
〈実施例１〉
本実施例の陰極線管装置においては、図１に示す構成を有する１９型サイズの陰極線管装置２のフェースパネル４の内側の有効画面Ａの形状を、落差Ｚ＝ａ1 ｘ2 ＋ａ2 ｘ4 ＋ａ3 ｙ2 ＋ａ4 ｘ2 ｙ2 ＋ａ5 ｘ4 ｙ2 ＋ａ6 ｙ4 ＋ａ7 ｘ2 ｙ4 の上記関係式で、ａ1 ＝４．０３２２×１０-4、ａ2 ＝６．６４６５×１０-11 、ａ3 ＝５．９０４３×１０-4、ａ4 ＝−５．４２２０×１０-9、ａ5 ＝−１．２５８２×１０-15 、ａ6 ＝−４．４０８３×１０-9、ａ7 ＝１．３３８５×１０-13 と置いて規定した。このとき、有効画面Ａの対角軸上の断面曲率半径Ｒd は１２４０ｍｍ、水平軸上曲率半径Ｒh は１２４０ｍｍ、垂直軸上曲率半径Ｒv は９９０ｍｍ、長辺上曲率半径Ｒt は１４３４ｍｍであり、ｋ＝Ｒt ／Ｒh ＝１．１６となる。これは、上記（数２９）、（数３０）にＤ＝２２８．６ｍｍ、Ｒd ＝Ｒh ＝１２４０ｍｍ、θD ＝５０゜、α＝０．７５を代入して得られるδ及びσと縦線の中間ピン歪み率の許容限界値であるＬ＝０．２４％を上記（数３１）に代入した範囲である１．０２８＜ｋ＜１．５１４の内に入っている。また、実際の縦線の中間ピン歪み率も０．０２％であり、規格値内に入っている。
【００６６】
尚、本実施例においては、フェースパネル４の内側の有効画面の形状を規定する際に、Ｒｄ  ＝Ｒｈ  と置いたが、必ずしもＲｄ  とＲｈ  の値を同一にする必要はなく、それぞれが違う値の場合であっても所期の効果を得ることはできる。
【００６７】
また、本実施例においては、ｋ＝Ｒt ／Ｒh の値を１．０２８＜ｋ＜１．５１４の範囲としているが、このｋの範囲は計算によって求めたものであり、実用上中間ピン歪が問題とならないｋの範囲は１＜ｋ＜１．９である。
【００６８】
〈実施例２〉
本実施例の陰極線管装置においては、図１に示す構成を有する１９型サイズの陰極線管装置２のフェースパネル４の内側の有効画面Ａの形状を、落差Ｚ＝ａ1 ｘ2 ＋ａ2 ｘ4 ＋ａ3 ｙ2 ＋ａ4 ｘ2 ｙ2 ＋ａ5 ｘ4 ｙ2 ＋ａ6 ｙ4 ＋ａ7 ｘ2 ｙ4 の上記関係式で、ａ1 ＝４．７１６８４７×１０-4、ａ2 ＝１．０６９４３９×１０-10 、ａ3 ＝４．０３２２３９×１０-4、ａ4 ＝−３．４８２７６５×１０-9、ａ5 ＝−２．０８５１９３×１０-15 、ａ6 ＝６．６０６６３１×１０-11 、ａ7 ＝−１．２８４８７３×１０-15 と置いて規定した。このとき、有効画面Ａの対角軸上の断面曲率半径Ｒd は１２４０ｍｍ、水平軸上曲率半径Ｒh は１０６０ｍｍ、垂直軸上曲率半径Ｒv は１２４０ｍｍ、短辺上曲率半径Ｒs は１７５８ｍｍであり、ｋ′＝Ｒs ／Ｒv ＝１．４２となる。これは、上記（数３２）、（数３３）にＤ＝２２８．６ｍｍ、Ｒd ＝Ｒv ＝１２４０ｍｍ、θD ＝５０゜、α＝０．７５を代入して得られるδ及びσと横線の中間ピン歪み率の許容限界値であるＬ＝０．１４％を上記（数３１）に代入した範囲である１．１１４＜ｋ′＜３．１０３の内に入っている。また、実際の横線の中間ピン歪み率も０．０１％であり、規格値内に入っている。
【００６９】
尚、本実施例においては、フェースパネル４の内側の有効画面の形状を規定する際に、Ｒｄ  ＝Ｒｖ  と置いたが、必ずしもＲｄ  とＲｖ  の値を同一にする必要はなく、それぞれが違う値の場合であっても所期の効果を得ることはできる。
【００７０】
また、本実施例においては、ｋ′＝Ｒs ／Ｒv の値を１．１１４＜ｋ′＜３．１０３の範囲としているが、このｋ′の範囲は計算によって求めたものであり、実用上中間ピン歪が問題とならないｋ′の範囲は１＜ｋ′＜３．４である。
【００７１】
【発明の効果】
以上説明したように、本発明によれば、偏向回路に新たに変調用トランスなどの付加回路を設けることなく、中間ピン歪の歪み量を抑制することができるので、偏向電力を小さくすることができると共に、安価な陰極線管装置を実現することができる。
【図面の簡単な説明】
【図１】本発明の実施の形態における陰極線管装置を示す断面図である。
【図２】本発明の実施の形態における陰極線管装置のフェースパネル内の有効画面の形状を示す斜視図である。
【図３】本発明の実施の形態における陰極線管装置の中間ピン歪の歪み量を抑制する作用を説明するための図である。
【図４】本発明の実施の形態における陰極線管装置のフェースパネル内の有効画面の形状を特定するための図である。
【図５】本発明の実施の形態における陰極線管装置の中間ピン歪の歪み量の分布を示す図である。
【図６】従来技術における陰極線管装置の中間ピン歪を示す図である。
【符号の説明】
２  陰極線管装置
３  蛍光体スクリーン面
４  フェースパネル
４ａ  凹曲面
５  コーン部
６  電子銃
７  ネック部
８  ガラスバルブ
９  偏向コイル
１１  偏向回路
【図１】
0003578642.tif 000036
【図２】
0003578642.tif 000037
【図３】
0003578642.tif 000038
【図４】
0003578642.tif 000039
【図５】
0003578642.tif 000040
【図６】
0003578642.tif 000041